(57)【特許請求の範囲】
【請求項１】
スクラッチ機能を有する葉書の製造方法であって、
葉書に所定の表示情報を印刷することにより表示情報表示部を形成する印刷工程と、
該印刷工程で形成された表示情報表示部の少なくとも一部の上面に、透明性を有する第１被覆層を、アクリル系樹脂とアミノ系樹脂とが混合した素材により形成された透明な箔により形成する第１被覆層形成工程と、
該第１被覆層の上面に、第２被覆層を形成する第２被覆層形成工程であって、該第１被覆層で被覆された表示情報を外部から視認できないようにするための第２被覆層であって、削り動作により第１被覆層から除去可能な第２被覆層を、芳香族炭化水素系溶剤と顔料と合成ゴム系樹脂とを有するスクリーン印刷用インキにより形成する第２被覆層形成工程と、
を有し、
上記第１被覆層と上記葉書との間の固着強度が、上記第１被覆層と第２被覆層との間の固着強度よりも大きいように、上記第１被覆層と上記第２被覆層とを形成することを特徴とするスクラッチ機能を有する葉書の製造方法。
【請求項２】
上記第１被覆層形成工程においては、箔を転写するための転写テープを用いて、葉書における該第１被覆層の形成位置に熱加圧することにより、上記第１被覆層を形成することを特徴とする請求項１に記載のスクラッチ機能を有する葉書の製造方法。
【請求項３】
上記表示情報表示部が、ゲーム機能を有していることを特徴とする請求項１又は２に記載のスクラッチ機能を有する葉書の製造方法。
【請求項４】
上記葉書が年賀状用葉書であることを特徴とする請求項１又は２又は３に記載のスクラッチ機能を有する葉書の製造方法。
【請求項５】
スクラッチ機能を有する葉書であって、
葉書の面に形成された表示情報表示部であって、所定の表示情報が表示された表示情報表示部と、
該表示情報表示部の少なくとも一部の上面に形成されたスクラッチ部であって、
該表示情報表示部の少なくとも一部の上面に形成された第１被覆層であって、透明性を有し、アクリル系樹脂とアミノ系樹脂とが混合した素材により形成された透明な箔により形成された第１被覆層と、
該第１被覆層の上面に形成された第２被覆層であって、該第１被覆層で被覆された表示情報を外部から視認できないようにするための第２被覆層で、削り動作により第１被覆層から除去可能な第２被覆層で、芳香族炭化水素系溶剤と顔料と合成ゴム系樹脂とを有するスクリーン印刷用インキにより形成された第２被覆層と、を有するスクラッチ部と、
を有し、
上記第１被覆層と上記葉書との間の固着強度が、上記第１被覆層と第２被覆層との間の固着強度よりも大きいことを特徴とするスクラッチ機能を有する葉書。
【発明の詳細な説明】
【０００１】
【発明の属する技術分野】
本発明は、葉書に関するものであり、特に、年賀状用葉書やお年玉付きの官製年賀葉書に関するものである。
【０００２】
【従来の技術】
従来、「当たり」、「はずれ」等の文字や図柄などの表示イメージが印刷された上面に、金色や銀色等のスクラッチ箔等からなるスクラッチ層を形成して表示イメージを隠して外部から確認できないようにしたスクラッチゲーム付きカードが使用されている。
【０００３】
このようなスクラッチゲーム付きカードにおいては、主に多数のスクラッチ箔が形成されており、その中から使用者に選択させてその選択したスクラッチ箔をコインなどによって削り落として下側の表示イメージを露出させ、表示イメージを確認することによってゲームを行うものである。
【０００４】
【発明が解決しようとする課題】
しかし、そのようなスクラッチゲーム付きカードにおいては、主に商品の宣伝用や、景品を当選させるための商業用のカードであった。
【０００５】
また、近年、写真付き年賀状等、ありきたりな書状用紙としての本来の機能に付加的な要素を加えて、送付者をより印象付けようとする傾向が強くなってきている。
【０００６】
さらに、仮に、年賀状等の葉書にスクラッチ機能を付加しようとした場合に、葉書にスクラッチ層を形成すると、スクラッチ層をスクラッチ動作、つまり、削り動作により剥離させた場合に綺麗に剥離することができないという問題があった。つまり、葉書は、通常、ケント紙や上質紙等の粗面紙で形成されているために、葉書の表面が毛羽立っている状態となっている。そのような紙材から形成された葉書用紙に所定の印刷を施した後に、スクラッチ層を形成したものにおいて、スクラッチ層を削って剥がそうとすると、印刷面も同時に削ってしまい、該スクラッチ層に被覆された部分が見えづらく、また、汚れた感じになってしまい、スクラッチ機能を設けることによる面白さが軽減してしまうという問題があった。特に、該スクラッチ層を印刷（例えば、スクリーン印刷、凹版印刷、オフセット印刷）により形成した場合には、印刷用のインクが、葉書を構成する紙材にしみこんでしまい剥離が困難になるという問題があった。
【０００７】
そこで、本発明は、書状用紙としての機能に高い娯楽性を有するゲーム機能を付加することができ、大幅に付加価値を高めることが可能な書状用紙、特に、葉書を提供するとともに、葉書にスクラッチ機能を付加した場合に、スクラッチ動作によりスクラッチ層により被覆された印刷面が見えづらく汚れた感じになるのを防止することができる葉書を提供することを目的とする。
【０００８】
【課題を解決するための手段】
本発明は上記問題点を解決するために創作されたものであって、第１には、スクラッチ機能を有する葉書の製造方法であって、葉書に所定の表示情報を印刷することにより表示情報表示部を形成する印刷工程と、該印刷工程で形成された表示情報表示部の少なくとも一部の上面に、透明性を有する第１被覆層を、アクリル系樹脂とアミノ系樹脂とが混合した素材により形成された透明な箔により形成する第１被覆層形成工程と、該第１被覆層の上面に、第２被覆層を形成する第２被覆層形成工程であって、該第１被覆層で被覆された表示情報を外部から視認できないようにするための第２被覆層であって、削り動作により第１被覆層から除去可能な第２被覆層を、芳香族炭化水素系溶剤と顔料と合成ゴム系樹脂とを有するスクリーン印刷用インキにより形成する第２被覆層形成工程と、を有し、上記第１被覆層と上記葉書との間の固着強度が、上記第１被覆層と第２被覆層との間の固着強度よりも大きいように、上記第１被覆層と上記第２被覆層とを形成することを特徴とする。
【０００９】
よって、製造された葉書においては、透明性を有する第１被覆層と、該第１被覆層の上面に形成された第２被覆層が設けられているので、この第２被覆層により表示情報が隠蔽されている。そして、第２被覆層を削り動作により削ることにより、透明性を有する第１被覆層を通して、被覆された表示情報を視認することができる。
【００１０】
特に、葉書の表示情報が形成されている面は第１被覆層により被覆されているので、削り動作により葉書の表示情報の表示領域を削ってしまうことがなく、ユーザは表示情報を正確に視認することができる。また、第２被覆層が第１被覆層を介して隔離されているので、表示情報を隠蔽する第２被覆層をインキにより形成したとしても該インキがしみ込むことがなく、表示情報を正確に視認することが可能となる。また、第１被覆層をインキにより形成する場合にはインキが葉書にしみ込んでしまう可能性があるが、第１被覆層が箔により形成されているので、そのようなおそれがなく、表示情報の形成面を汚すことがなく、正確に表示情報を視認することが可能となる。また、第１被覆層が透明であるので、正確に表示情報を視認することが可能となる。また、第１被覆層と上記葉書との間の固着強度が、上記第１被覆層と第２被覆層との間の固着強度よりも大きいので、第２被覆層に対して削り動作を行った場合に、第２被覆層のみを削って、第１被覆層を葉書に残存させるようにすることができる。
【００１４】
また、第２には、上記第１の構成において、上記第１被覆層形成工程においては、箔を転写するための転写テープを用いて、葉書における該第１被覆層の形成位置に熱加圧することにより、上記第１被覆層を形成することを特徴とする。
【００１９】
また、第３には、上記第１又は第２の構成において、上記表示情報表示部が、ゲーム機能を有していることを特徴とする。よって、第２被覆層を削って除去しながら、ゲームを楽しむことができる。つまり、ゲーム機能を付加した葉書を提供できる。
【００２０】
また、第４には、上記第１から第３までのいずれかの構成において、上記葉書が年賀状用葉書であることを特徴とする。
【００２１】
また、第５には、スクラッチ機能を有する葉書であって、葉書の面に形成された表示情報表示部であって、所定の表示情報が表示された表示情報表示部と、該表示情報表示部の少なくとも一部の上面に形成されたスクラッチ部であって、該表示情報表示部の少なくとも一部の上面に形成された第１被覆層であって、透明性を有し、アクリル系樹脂とアミノ系樹脂とが混合した素材により形成された透明な箔により形成された第１被覆層と、該第１被覆層の上面に形成された第２被覆層であって、該第１被覆層で被覆された表示情報を外部から視認できないようにするための第２被覆層で、削り動作により第１被覆層から除去可能な第２被覆層で、芳香族炭化水素系溶剤と顔料と合成ゴム系樹脂とを有するスクリーン印刷用インキにより形成された第２被覆層と、を有するスクラッチ部と、を有し、上記第１被覆層と上記葉書との間の固着強度が、上記第１被覆層と第２被覆層との間の固着強度よりも大きいことを特徴とする。
【００２２】
よって、この第５の構成の葉書においては、透明性を有する第１被覆層と、該第１被覆層の上面に形成された第２被覆層が設けられているので、この第２被覆層により表示情報が隠蔽されている。そして、第２被覆層を削り動作により削ることにより、透明性を有する第１被覆層を通して、被覆された表示情報を視認することができる。
【００２３】
特に、葉書の表示情報が形成されている面は第１被覆層により被覆されているので、削り動作により葉書の表示情報の表示領域を削ってしまうことがなく、ユーザは表示情報を正確に視認することができる。また、第２被覆層が第１被覆層を介して隔離されているので、表示情報を隠蔽する第２被覆層をインキにより形成したとしても該インキがしみ込むことがなく、表示情報を正確に視認することが可能となる。また、第１被覆層をインキにより形成する場合にはインキが葉書にしみ込んでしまう可能性があるが、第１被覆層が箔により形成されているので、そのようなおそれがなく、表示情報の形成面を汚すことがなく、正確に表示情報を視認することが可能となる。また、第１被覆層と上記葉書との間の固着強度が、上記第１被覆層と第２被覆層との間の固着強度よりも大きいので、第２被覆層に対して削り動作を行った場合に、第２被覆層のみを削って、第１被覆層を葉書に残存させるようにすることができる。
【００２９】
なお、上記の各構成において、上記表示情報表示部における情報が、迷路タイプのゲームを行なうための情報であるようにしてもよい。
【００３０】
また、上記の各構成において、上記表示情報表示部における情報が、複数の選択可能な経路を示すイメージ情報と、該イメージ情報における経路の途中に設けられた隠蔽情報と、を有し、該隠蔽情報の上に、上記第１被覆層及び第２被覆層が設けられているようにしてもよい。
【００３１】
また、上記の各構成において、上記表示情報表示部における情報が、占いタイプのゲームを行なうための情報であるようにしてもよい。
【００３２】
また、上記の各構成において、上記表示情報表示部における情報が、「大吉」、「吉」等の運勢を表す用語を有し、該運勢を表す用語が、上記第１被覆層及び第２被覆層により隠蔽されているようにしてもよい。
【００３３】
また、上記の各構成において、上記表示情報表示部における情報が、複数種類の選択肢を示す情報である選択用情報と、該選択用情報により選択可能な選択肢に対応した情報である対応情報と、を有し、上記選択用情報における少なくとも一部と、上記対応情報における少なくとも一部が、上記第１被覆層及び第２被覆層により被覆して隠蔽されているようにしてもよい。
【００３４】
また、上記の各構成において、上記表示情報表示部における情報が、上記ゲーム部における印刷された情報が、複数種類の組み合わせの中から任意の組み合わせを選択するための情報である選択用情報と、該選択用情報により選択可能な組み合わせに対応した情報である対応情報と、を有し、上記選択用情報における少なくとも一部と、上記対応情報における少なくとも一部が、上記第１被覆層及び第２被覆層により被覆して隠蔽されているようにしてもよい。
【００３５】
また、上記の各構成において、上記表示情報表示部における情報が、クイズの問題を示す情報である問題情報と、該問題情報における問題の解答を示す情報である解答情報と、を有し、該解答情報が、上記第１被覆層及び第２被覆層スクラッチ部により被覆して隠蔽されているようにしてもよい。
【００３６】
【発明の実施の形態】
本発明の実施の形態としての実施例を図面を利用して説明する。本発明に基づく第１実施例を説明する。本発明に基づくスクラッチ機能を有する葉書としてのスクラッチ葉書（以下では単に「葉書」とする）１は、年賀状用葉書、つまり、年賀状に用いる葉書である。この葉書１は、特に、お年玉付きの官製年賀葉書であることが好ましい。
【００３７】
葉書１は、図１に示されるように、シート状部材からなる葉書本体部（葉書）１ａを有し、その表面側には図示略の所定の宛名書きスペースが設けられているとともに、裏面側に印刷によってゲーム部１０が形成されている。このゲーム部１０が上記表示情報表示部に当たる。
【００３８】
上記ゲーム部１０は、いわゆる「迷路タイプ」のゲームを構成すべく、ゲームの内容や方法を記載したゲーム内容イメージが印刷によって形成されており、スタート２０からゴール３０まで複雑な経路に迷路４０が形成されている。このゲーム部１０はゲーム機能を有しているといえる。この迷路４０の表示内容が、「複数の選択可能な経路を示すイメージ情報」に当たる。さらに、ゲーム部１０においては、スクラッチ部５０により隠蔽されている領域にも、所定の情報が印刷されている。つまり、スクラッチ部５０により隠蔽されている領域には、被印刷部５２が印刷により形成されている。つまり、迷路４０の分岐部等に、被印刷部５２が設けられている。つまり、ゲーム部１０には、複数の被印刷部５２が葉書本体部１ａに印刷することにより設けられていて、この各被印刷部５２は、「前へ進め」、「行き止まり」の２種類の内容のうちのいずれかの内容を表示するものであり、その配置はランダムに決定されている。この被印刷部５２が、上記「該イメージ情報における経路の途中に設けられた隠蔽情報」に当たる。
【００３９】
また、上記迷路４０の分岐部等には、円形状のスクラッチ部５０が形成されている。具体的には、図２に示すように、上記スクラッチ部５０は、葉書本体部１ａに形成された被印刷部５２の上に形成されていて、該スクラッチ部５０は、透明箔層（第１被覆層）５０ａと、スクラッチ層（第２被覆層）５０ｂとから形成されている。
【００４０】
ここで、透明箔層５０ａは、葉書１における葉書本体部１ａの表面上に形成されていて、透明な素材により形成されている。具体的には、この透明箔層５０ａは、透明なアクリル系樹脂及び透明なアミノ系樹脂により形成されている。透明箔層５０ａの具体的な形成方法については後述する。なお、透明箔層５０ａは透明であるとしたが、半透明でもよく、少なくとも透明性を有するものであればよい。
【００４１】
また、スクラッチ層５０ｂは、上記透明箔層５０ａの上面に形成されていて、スクラッチ層５０ｂの大きさ、形状は、そのスクラッチ層５０ｂの下側にある透明箔層５０ａと同じである。このスクラッチ層５０ｂは、印刷用インキにより形成されている。つまり、このスクラッチ層５０ｂは、透明箔層５０ａの上に印刷により形成されたものであり、透明箔層５０ａにより被覆された被印刷部５２（つまり、表示情報）を外部から視認できないようにするためのもので、削り動作により除去可能となっている。このスクラッチ層５０ｂの具体的な形成方法については後述する。
【００４２】
なお、透明箔層５０ａと葉書本体部１ａ間の接着強度（固着強度としてもよい）が、透明箔層５０ａとスクラッチ層５０ｂ間の接着強度（固着強度としてもよい）よりも大きいようにすることが好ましい。つまり、スクラッチ部５０に対してスクラッチ動作を行った場合に、スクラッチ層５０ｂが削り落とされて、透明箔層５０ａが葉書側に残っているようにするために、接着強度をそのようにすることが好ましい。
【００４３】
次に、上記構成の葉書１の製造方法について図３等を使用して説明する。まず、裏面が印刷されていない状態の葉書を用意する。つまり、ゲーム部１０やスクラッチ部５０が設けられていない状態の葉書を用意する。つまり、その場合の葉書は、上記葉書本体部１ａに相当するといえる。
【００４４】
そして、該葉書、つまり、葉書本体部１ａの裏面を印刷する（Ｓ１０）。つまり、葉書の裏面にゲーム部１０を印刷する。つまり、上記スタート２０、ゴール３０、迷路４０、被印刷部５２等を印刷する。この印刷は、スクリーン印刷等により行なう。このステップＳ１０が上記印刷工程に当たる。
【００４５】
次に、ゲーム部１０が印刷された状態の葉書本体部１ａの所定箇所に透明箔層５０ａを形成する（Ｓ１１）。つまり、上記葉書本体部１ａにおいて、スクラッチ部５０に被覆される領域、すなわち、被印刷部５２の部分に透明箔層５０ａを形成する。この透明箔層５０ａを形成するに当たっては、転写テープを用いて行なう。
【００４６】
すなわち、図４（ａ）に示すように、葉書の葉書本体部１ａの透明箔層５０ａの形成面の形成位置に転写テープＴを接触ないしは近接させ、熱加圧部材Ｎにより熱加圧を行うことにより転写を行って透明箔層５０ａを形成する。
【００４７】
ここで、転写テープＴは、図４（ｂ）に示すように、フィルム層Ｔａと、離型剤層Ｔｂと、樹脂層Ｔｃと、接着剤層Ｔｄとから構成されている。
【００４８】
ここで、フィルム層Ｔａは、ポリエステルフィルムにより構成されている。また、離型剤層Ｔｂは、該フィルム層Ｔａに一方の面に積層して形成されていて、脂肪酸系樹脂とシリコーンにより形成されている。つまり、この離型剤層Ｔｂを構成する素材は、脂肪酸系樹脂とシリコーンとを混合したものである。なお、この離型剤層Ｔｂを脂肪酸系樹脂と変性ワックスにより形成してもよい。
【００４９】
また、樹脂層Ｔｃは、離型剤層Ｔｂの一方の面、つまり、離型剤層Ｔｂのフィルム層Ｔａ側とは反対の面に積層して形成されていて、アクリル系樹脂とアミノ系樹脂とが混合した素材であって、透明な素材（又は少なくとも透明性のある素材）により形成されている。また、この樹脂層Ｔｃを構成する素材には、繊維素を混入するようにしてもよい。この樹脂層Ｔｃが透明箔層として機能する部分である。
【００５０】
また、接着剤層Ｔｄは、樹脂層Ｔｃの一方の面、つまり、樹脂層Ｔｃの離型剤層Ｔｂ側とは反対の面に積層されていて、エチレン酢酸ビニル樹脂とアクリル系樹脂とから構成されている。つまり、この接着剤層Ｔｄを構成する素材は、エチレン酢酸ビニル樹脂とアクリル系樹脂とを混合したものである。なお、接着剤層Ｔｄを、ポリウレタン系樹脂とアクリル系樹脂と酢酸ビニル系樹脂と繊維素とを混合した素材により構成してもよい。
【００５１】
つまり、上記ステップＳ１１における透明箔層５０ａの形成に際しては、上記転写テープＴにおける接着剤層Ｔｄ側を葉書本体部１ａ側にして、凸部Ｎ１を有する熱加圧部材Ｎにより加圧を行なう。この場合、凸部Ｎ１は、平面視においては、形成される透明箔層の平面視における形状・大きさと同じ形状・大きさに形成されているといえる。なお、該熱加圧部材Ｎにおける少なくとも凸部Ｎ１は、加熱されている。
【００５２】
このようにして、熱加圧部材Ｎにより熱加圧を行なうと、接着剤層Ｔｄが、葉書側、つまり、葉書本体部１ａに接着し、樹脂層Ｔｃも葉書本体部１ａに転写される。つまり、凸部Ｎ１により加圧された部分が転写される。
【００５３】
以上のようにして、透明箔層５０ａが形成される。このステップＳ１１が上記第１被覆層形成工程に当たる。
【００５４】
なお、この透明箔層５０ａの代わりに、透明なインキを用いて印刷を行いインキ層を形成するようにしてもよい。その場合のインキとしては、スクリーン印刷用のインキ等の印刷用インキが揚げられる。
【００５５】
次に、スクラッチ層５０ｂを形成する（Ｓ１２）。このスクラッチ層５０ｂは、スクリーン印刷用のインキを印刷することにより形成する。つまり、該インキを透明箔層５０ａの上面にスクリーン印刷することによりスクラッチ層５０ｂを形成する。このステップＳ１２が上記第２被覆層形成工程に当たる。
【００５６】
ここで、スクラッチ層５０ｂの形成に用いるインキについて説明すると、以下のいずれかのスクリーン印刷用のインキを使用する。
【００５７】
まず、第１には、着色顔料と、アルミニウムペーストと、合成ゴム系樹脂と、芳香族炭化水素系溶剤と、補助剤とを有するインキである。この場合の含有比率は、全体における重量比において、着色顔料が１５．０〜２５．０％で、アルミニウムペーストが１５．０〜２５．０％で、合成ゴム系樹脂が１５．０〜２５．０％で、芳香族炭化水素系溶剤が４０．０〜５０．０％で、補助剤が３．０〜８．０％である。
【００５８】
次に、第２には、芳香族炭化水素系溶剤と、合成ゴム系樹脂と、アルミニウムペーストと、顔料と、補助剤とを有するインキである。この場合の含有比率は、全体における重量比において、芳香族炭化水素系溶剤が３５．０〜４５．０％で、合成ゴム系樹脂が１０．０〜２０．０％で、アルミニウムペーストが１５．０〜２５．０％で、顔料が１０．０〜２０．０％で、補助剤が３．０〜８．０％である。
【００５９】
次に、第３には、着色顔料と、アルミニウム粉と、合成ゴム系樹脂と、芳香族炭化水素系溶剤と、補助剤とを有するインキである。この場合の含有比率は、全体における重量比において、着色顔料が１０．０〜２０．０％で、アルミニウム粉が２５．０〜３５．０％で、合成ゴム系樹脂が１５．０〜２５．０％で、芳香族炭化水素系溶剤が３５．０〜４５．０％で、補助剤が３．０〜８．０％である。
【００６０】
次に、第４には、芳香族炭化水素系溶剤と、顔料と、合成ゴム系樹脂とを有するインキである。この場合の含有比率は、全体における重量比において、芳香族炭化水素系溶剤が４０．０〜４５．０％で、顔料が３５．０〜４０．０％で、合成ゴム系樹脂が２０．０〜２５．０％である。なお、この第４のインキにおいて、含有比率を、全体における重量比において、芳香族炭化水素系溶剤が４０．０〜５０．０％で、顔料が３５．０〜４５．０％で、合成ゴム系樹脂が２０．０〜２５．０％としてもよい。
【００６１】
なお、このステップＳ１２に使用するインキは、被印刷部５２が外部から見えないようにするために、透明性を有しないインキにより形成される必要がある。また、このスクラッチ層５０ｂを形成する領域は、透明箔層５０ａの上面の少なくとも一部の領域であり、透明箔層５０ａの上面の全体にスクラッチ層５０ｂを形成するのが好ましい。
【００６２】
以上のような製造工程を経て、上記の葉書１が形成される。なお、スクラッチ層５０ｂはインキにより形成されているが、このスクラッチ層５０ｂは透明箔層５０ａの上に形成されているので、インキにより被印刷部５２が葉書本体部１ａにしみ込んでしまうことがない。
【００６３】
なお、上記の製造工程の説明においては、スクラッチ層５０ｂをスクリーン印刷用のインキを使用するとして説明したが、これには限られず、スクリーン印刷用のインキ以外のインキで印刷することにより形成してもよい。
【００６４】
なお、スクラッチ層５０ｂについては、インキにより印刷を行なうことにより形成する場合に限らず、上記透明箔層５０ａを形成する場合のように、スクラッチ層５０ｂを箔により形成するようにしてもよい。つまり、図４（ｂ）に示す転写テープＴと同様の構成の転写テープを用いて転写を行って透明箔層５０ａの上に樹脂層を転写して、スクラッチ層を形成するのである。なお、この場合には、樹脂層は透明ではなく、着色されたものを用いることになる。
【００６５】
次に、上記構成の葉書１の使用状態について説明する。まず、スタート２０から任意に上記迷路４０を選択して進行し、上記スクラッチ部５０に突き当たったら、そのスクラッチ部５０をコイン等により引っ掻く等の削り動作を行なう。この削り動作がスクラッチ動作に当たる。すると、スクラッチ部５０におけるスクラッチ層５０ｂのみが削られて、透明箔層５０ａは葉書１の葉書本体部１ａに残存する。
【００６６】
よって、ユーザは透明箔層５０ａを介して被印刷部５２を視認でき、上記被印刷部５２の表示イメージが確認可能となる。なお、被印刷部５２は透明箔層５０ａにより被覆されているので、削り動作により被印刷部５２を削ってしまうことがなく、ユーザは被印刷部５２の表示イメージを正確に確認することができる。さらに、上記のように、インキから構成されるスクラッチ層５０ｂは、被印刷部５２からは透明箔層５０ａを介して隔離されているので、被印刷部５２にインキがしみ込むことはなく、この点によっても、ユーザは、被印刷部５２の表示イメージを正確に確認することができる。特に、葉書１の葉書本体部１ａがケント紙や上質紙等の粗面紙で構成されていても、表示イメージを正確に視認することができる。
【００６７】
被印刷部５２を視認すると、上記被印刷部５２には、「前へ進め」、「行き止まり」の２種類のイメージのうちいずれか一つが表示されているため、「前へ進め」が表示されていた場合は、そこからさらに上記迷路４０上を前進して次のスクラッチ部５０へ進む。そして同様に次のスクラッチ部５０を削り落として、上記被印刷部５２の表示イメージを確認する。
【００６８】
そして、そのように、「前へ進め」が表示されている間は、次の迷路４０へ進んでゴール３０まで辿り着いたら、ゲームクリアとなって今年の運勢が「大吉」となる。
【００６９】
一方、スクラッチ部５０を除去することにより、「行き止まり」を示す被印刷部５２が表示された場合には、そこでゲーム終了となりゴール３０へは辿り着けなかったこととなる。
【００７０】
このように、本第１実施例における葉書１は、新年の挨拶を行う年賀状本来の機能に、上記ゲーム部１０が付加されているので、上記葉書１の受取者は、上記ゲーム部１０によってその年の運勢を占うことができる「迷路タイプ」のゲームをプレイすることができるため、受取者はそのゲームを好適に楽しむことができるとともに、受取者に対して送付者をより印象づけることができる。従って、年賀状としての機能をより高めることが可能になる。
【００７１】
次に、本発明に基づく第２実施例を説明する。本発明におけるスクラッチ機能を有する葉書としての葉書２は、年賀状用葉書、つまり、年賀状に用いるはがき用紙である。この葉書２は、特に、お年玉付きの官製年賀葉書であることが好ましい。
【００７２】
この葉書２は、図５に示されるように、シート状部材からなる葉書本体部２ａを有し、その表面側には、図示略の所定の宛名書きスペースが設けられているとともに、裏面側に印刷によってゲーム部１１０が形成されている。このゲーム部１１０が上記表示情報表示部に当たる。
【００７３】
上記ゲーム部１１０は、いわゆる「占いタイプ」のゲームを構成すべく、ゲームの内容や方法を記載したゲーム内容イメージが印刷によって形成されている。このゲーム部１１０は、ゲーム機能を有しているといえる。さらに、ゲーム部１１０においては、スクラッチ部１５０により隠蔽されている領域にも、所定の情報が印刷されている。つまり、スクラッチ部１５０により隠蔽されている領域には、被印刷部１５２が印刷により形成されている。つまり、ゲーム部１１０には、複数の被印刷部１５２が年賀状本体部２ａに印刷することにより設けられていて、各被印刷部１５２は、「大吉」、「吉」、「中吉」「小吉」、「末吉」、「凶」等の運勢を表す用語を示している。なお、運勢を表す用語の種類の配置は、ランダムに決定されている。
【００７４】
また、上記スクラッチ部１５０は、年賀状本体部２ａに形成された被印刷部１５２の上に、五角形状に金箔状の塗膜を印刷することにより形成されている。図５の例では、６つのスクラッチ部１５０が設けられている。なお、上記スクラッチ部１５０が五角形に形成されているのは、絵馬の外形のイメージを醸し出すためである。
【００７５】
このスクラッチ部１５０は、上記スクラッチ部５０と同様の構成であり、透明箔層１５０ａと、スクラッチ層１５０ｂとを有している。この透明箔層１５０ａの構成は、平面形状が異なる以外は上記透明箔層５０ａと同様の構成であり、また、スクラッチ層１５０ｂについても、平面形状が異なる以外は上記スクラッチ層５０ｂと同様の構成であるので、詳しい説明は省略する。
【００７６】
また、上記構成の葉書２の製造方法についても、上記第１実施例における葉書１の場合と同様であるので、詳しい説明を省略する。つまり、葉書本体部２ａにゲーム部１１０を印刷した後、透明箔層１５０ａを形成し、その後、スクラッチ層１５０ｂを形成するのである。
【００７７】
次に、本第２実施例の使用状態を説明する。まず、六ヶ所の上記スクラッチ部１５０のうちから一ヶ所を選択し、その選択したスクラッチ部１５０をコイン等により引っ掻く等の削り動作により削り落とす。この削り動作が、上記スクラッチ動作に当たる。すると、スクラッチ部１５０におけるスクラッチ層１５０ｂのみが削られて、透明箔層１５０ａは葉書２の葉書本体部２ａに残存する。
【００７８】
よって、ユーザは透明箔層１５０ａを介して被印刷部１５２を視認でき、上記被印刷部１５２の表示イメージが確認可能となる。なお、被印刷部１５２は透明箔層１５０ａにより被覆されているので、削り動作により被印刷部１５２を削ってしまうことがなく、ユーザは被印刷部１５２の表示イメージを正確に確認することができる。さらに、上記のように、インキから構成されるスクラッチ層１５０ｂは、被印刷部１５２からは透明箔層１５０ａを介して隔離されているので、被印刷部１５２にインキがしみ込むことはなく、この点によっても、ユーザは、被印刷部１５２の表示イメージを正確に確認することができる。そして、ユーザは、上記被印刷部１５２に表示されたおみくじのイメージが、その年の運勢となると認識することができる。
【００７９】
このように、本第２実施例における葉書２は、新年の挨拶を行う年賀状本来の機能に、上記ゲーム部１１０が付加されているので、上記葉書２の受取者は、上記ゲーム部１１０によってその年の運勢を占うことができる「占いタイプ」のゲームをプレイすることができるため、受取者はそのゲームを好適に楽しむことができるとともに、受取者に対して送付者をより印象づけることができる。従って、年賀状としての機能をより高めることができる。
【００８０】
次に、本発明に基づく第３実施例を説明する。本発明に基づく第３実施例における葉書としての葉書３は、年賀状用葉書、つまり、年賀状に用いるはがき用紙である。この葉書３は、特に、お年玉付きの官製年賀葉書であることが好ましい。
【００８１】
この葉書３は、図６に示されるように、シート状部材からなる葉書本体部３ａを有し、その表面側には、図示略の所定の宛名書きスペースが設けられているとともに、裏面側に印刷によってゲーム部２１０が形成されている。このゲーム部２１０が上記表示情報表示部に当たる。
【００８２】
上記ゲーム部２１０は、図６に示すように、２ヶ所のスクラッチ部に分かれたいわゆる「２行程タイプ」のゲームを構成すべく、ゲームの内容や方法を記載したゲーム内容イメージが印刷によって形成されており、説明表示部Ｒ０と、第１表示部Ｒ１と、第２表示部Ｒ２と、第３表示部Ｒ３とを有している。このゲーム部２１０は、ゲーム機能を有しているといえる。
【００８３】
ここで、説明表示部Ｒ０は、ゲームの遊び方を表示するものである。また、第１表示部Ｒ１には、カードイメージを示す被印刷部２５２が、複数（具体的には、９個）印刷して設けられていて、この被印刷部２５２は、具体的には、トランプのハート、ダイヤ、クローバー、スペードのうちのいずれかのカードイメージの内容となっている。そして、この９個の被印刷部２５２のうちの真ん中の被印刷部２５２−１は、基本となるカードを示すものであり、上記第２表示部Ｒ２における左側のカードとその種類が一致するようになっている。図６に示す例では、真ん中の位置の被印刷部２５２−１は、ハートのカードイメージとなっている。一方、残りの８個の被印刷部２５２においては、トランプのハート、ダイヤ、クローバー、スペードのうちのいずれかのカードイメージの内容となっていて、ランダムに選択されて印刷されている。なお、被印刷部２５２−１には、スクラッチ部２５０は設けられておらず、最初から露出しており、残りの８個の被印刷部２５２は、スクラッチ部２５０により被覆されている。スクラッチ部２５０の詳しい説明については後述する。この第１表示部Ｒ１内に印刷されている内容、つまり、第１表示部Ｒ１内の被印刷部２５２が上記「複数種類の選択肢を示す情報である選択用情報」及び「複数種類の組み合わせの中から任意の組み合わせを選択するための情報である選択用情報」に当たる。
【００８４】
また、第２表示部Ｒ２は、上記第１表示部Ｒ１において選択可能な組み合わせを表示するものであり、２枚のカードの組み合わせが４組並んでいて、各組における左側には上記基本となるカードのイメージが表示されているとともに、右側には、スクラッチ部２５０を除去することにより選択可能なカードのイメージが表示されている。つまり、上からハート、ダイヤ、クローバー、スペードの順に並んでいる。この第２表示部Ｒ２は、組み合わせ表示部であるといえる。
【００８５】
また、第３表示部Ｒ３には、複数の被印刷部２５２が印刷して設けられている。この第３表示部Ｒ３における被印刷部２５２は、第２表示部Ｒ２における各組み合わせに対応した内容を有していて、例えば、「大吉」、「吉」等の運勢を示す用語や、「恋愛小吉」、「金運大吉」、「全てに大吉」、「健康運吉」等の運勢の対象と運勢とを組み合わせた用語となっている。この第３表示部Ｒ３内に印刷されている内容、つまり、第３表示部Ｒ３内の被印刷部２５２が上記「選択用情報により選択可能な選択肢に対応した情報である対応情報」及び「選択用情報により選択可能な組み合わせに対応した情報である対応情報」に当たる。
【００８６】
また、葉書３には、スクラッチ部２５０と、スクラッチ部３５０とが設けられている。このスクラッチ部２５０は、第１表示部Ｒ１内に設けられていて、第１表示部Ｒ１における被印刷部２５２のうち、中央の被印刷部２５２−１以外の被印刷部をそれぞれ被覆するもので、縦長の四角形状に金箔状の塗膜を印刷することにより形成されている。つまり、８個の各被印刷部２５２を被覆すべく８個のスクラッチ部２５０が設けられている。
【００８７】
また、スクラッチ部３５０は、第３表示部Ｒ３内に設けられていて、上記第３表示部Ｒ３における被印刷部２５２をそれぞれ被覆するもので、横長の四角形状に金箔状の塗膜を印刷することにより形成されている。つまり、４個の各被印刷部２５２を被覆すべく４個のスクラッチ部３５０が設けられている。
【００８８】
このスクラッチ部２５０及びスクラッチ部３５０は、上記スクラッチ部５０と同様の構成であり、スクラッチ部２５０は、透明箔層２５０ａと、スクラッチ層２５０ｂとを有しており、また、スクラッチ部３５０は、透明箔層３５０ａと、スクラッチ層３５０ｂとを有している。この透明箔層２５０ａ、３５０ａの構成は、平面形状が異なる以外は上記透明箔層５０ａと同様の構成であり、また、スクラッチ層２５０ｂ、３５０ｂについても、平面形状が異なる以外は上記スクラッチ層５０ｂと同様の構成であるので、詳しい説明は省略する。
【００８９】
また、上記構成の葉書３の製造方法についても、上記第１実施例における葉書１の場合と同様であるので、詳しい説明を省略する。つまり、葉書本体部３ａにゲーム部２１０を印刷した後、透明箔層２５０ａ、３５０ａを形成し、その後、スクラッチ層２５０ｂ、３５０ｂを形成するのである。
【００９０】
次に、本第３実施例の使用状態を説明する。まず、上記第１表示部Ｒ１に設けられている８個の上記第１スクラッチ部２５０のうちから一つを選択し、そのスクラッチ部２５０をコイン等により引っ掻く等の削り動作を行なう。この削り動作が、上記スクラッチ動作に当たる。すると、スクラッチ部２５０におけるスクラッチ層２５０ｂのみが削られて、透明箔層２５０ａは葉書３の葉書本体部３ａに残存する。
【００９１】
よって、ユーザは透明箔層２５０ａを介して、被印刷部２５２を視認でき、上記被印刷部２５２の表示イメージが確認可能となる。つまり、トランプのハート、ダイヤ、クローバー、スペードのうちのいずれかのカードイメージが現れる。そして、真ん中の被印刷部２５２−１との組み合わせにより、１組の組み合わせができる。
【００９２】
なお、被印刷部２５２は透明箔層２５０ａにより被覆されているので、削り動作により被印刷部２５２を削ってしまうことがなく、ユーザは被印刷部２５２の表示イメージを正確に確認することができる。さらに、上記のように、インキから構成されるスクラッチ層２５０ｂは、被印刷部２５２からは透明箔層２５０ａを介して隔離されているので、被印刷部２５２にインキがしみ込むことはなく、この点によっても、ユーザは、被印刷部２５２の表示イメージを正確に確認することができる。
【００９３】
そして、そのように決定したトランプマークの組合せを、上記第２表示部Ｒ２における４種類の組合せの中から探し出して、その横に位置しているスクラッチ部３５０をコイン等により引っ掻く等の削り動作を行なう。この削り動作が、上記スクラッチ動作に当たる。すると、スクラッチ部３５０におけるスクラッチ層３５０ｂのみが削られて、透明箔層３５０ａは葉書３の葉書本体部３ａに残存する。
【００９４】
よって、ユーザは透明箔層３５０ａを介して、スクラッチ部３５０により隠蔽されていた被印刷部２５２を視認でき、上記被印刷部２５２の表示イメージが確認可能となる。つまり、当該組み合わせに対応する被印刷部２５２の内容が認識可能となり、被印刷部２５２に表示された占い結果のイメージが、その年の運勢として認識可能となる。
【００９５】
なお、この場合も、被印刷部２５２は透明箔層２５０ａにより被覆されているので、削り動作により被印刷部２５２を削ってしまうことがなく、ユーザは被印刷部２５２の表示イメージを正確に確認することができる。さらに、上記のように、インキから構成されるスクラッチ層２５０ｂは、被印刷部２５２からは透明箔層２５０ａを介して隔離されているので、被印刷部２５２にインキがしみ込むことはなく、この点によっても、ユーザは、被印刷部２５２の表示イメージを正確に確認することができる。
【００９６】
このように、本第３実施例における葉書３は、新年の挨拶を行う年賀状本来の機能に、上記ゲーム部２１０が付加されているので、そのため、上記葉書３の受取者は、上記ゲーム部２１０によって、トランプカードのイメージ絵柄をスクラッチによって選択するとともに、その年の運勢をスクラッチによって占うことができる「２行程タイプ」のゲームをプレイすることができるため、受取者はそのゲームを好適に楽しむことができるとともに、受取者に対して送付者をより印象づけることができる。従って、年賀状としての機能をより高めることができる。
【００９７】
なお、上記スクラッチ部におけるスクラッチ層を、金箔状又は銀箔状の塗膜とすれば、より仕上がり感の高い葉書とすることができる。
【００９８】
また、上記第１実施例の葉書と、第２実施例の葉書と、第３実施例の葉書とをセットにして、葉書セットとすれば、そのセットを購入したユーザは、種々のタイプのゲームを楽しむことが可能となる。
【００９９】
なお、上記各実施例においては、年賀状用葉書を例にとっているが、これには限られず、年賀状用葉書以外のはがき用紙、例えば、暑中見舞い、クリスマスカード、誕生日祝いカード、引っ越しや移転の案内状や結婚披露宴案内状に適用してもよい。
【０１００】
また、ゲームの内容としても、例えば、「占いタイプ」のゲームの場合においても、上述したおみくじ占いやトランプ占いに限定されるものではなく、風水占い、タロット占い、横綱や小結などの大相撲番付占い等任意でよい。また、スクラッチ部に所定の形式でポイントが表示されており、そのポイントの合計によって運勢を判断するようにしてもよい。また、クイズを出題して解答させる「クイズタイプ」としてもよい。
【０１０１】
【発明の効果】
本発明に基づくスクラッチ機能を有する葉書の製造方法及びスクラッチ機能を有する葉書によれば、透明性を有する第１被覆層と、該第１被覆層の上面に形成された第２被覆層が設けられているので、この第２被覆層により表示情報が隠蔽されている。そして、第２被覆層を削り動作により削ることにより、透明性を有する第１被覆層を通して、被覆された表示情報を視認することができる。
【０１０２】
特に、葉書の表示情報が形成されている面は第１被覆層により被覆されているので、削り動作により葉書の表示情報の表示領域を削ってしまうことがなく、ユーザは表示情報を正確に視認することができる。また、第２被覆層が第１被覆層を介して隔離されているので、表示情報を隠蔽する第２被覆層をインキにより形成したとしても該インキがしみ込むことがなく、表示情報を正確に視認することが可能となる。
【図面の簡単な説明】
【図１】本発明の第１実施例に基づくスクラッチ葉書の構成を示す平面図である。
【図２】本発明の第１実施例〜第３実施例に基づくスクラッチ葉書におけるスクラッチ部の構造を示す断面図である。
【図３】スクラッチ葉書の製造工程を示す説明図である。
【図４】透明箔層の形成の仕方を説明するための説明図であり、（ａ）はその概要を示す説明図であり、（ｂ）は転写テープの構造を示す断面図である。
【図５】本発明の第２実施例に基づくスクラッチ葉書の構成を示す平面図である。
【図６】本発明の第３実施例に基づくスクラッチ葉書の構成を示す平面図である。
【符号の説明】
１、２、３  スクラッチ葉書
１ａ、２ａ、３ａ  葉書本体部
１０、１１０、２１０  ゲーム部
５０、１５０、２５０、３５０  スクラッチ部
５２、１５２、２５２  被印刷部
５０ａ、１５０ａ、２５０ａ、３５０ａ  透明箔層
５０ｂ、１５０ｂ、２５０ｂ、３５０ｂ  スクラッチ層
【図１】
0003948705.tif 000002
【図２】
0003948705.tif 000003
【図３】
0003948705.tif 000004
【図４】
0003948705.tif 000005
【図５】
0003948705.tif 000006
【図６】
0003948705.tif 000007